(57)【特許請求の範囲】
【請求項１】
先端に接続部が、後端にコード圧着固定部がそれぞれ設けられたコネクタハウジングと、前記コネクタハウジングの接続部に接続されたファイバ心線及び前記コード圧着固定部の外周と接触し合うコード補強部材並びにコード補強部材を被覆するコード外被とを有する光ファイバコードとを備え、
前記光ファイバコードは、前記コード補強部材の上からコード圧着固定部と嵌合し加締めにより前記コード補強部材をコード圧着固定部の外周に強く圧着させる加締めリングとその加締めリングと一体に形成されると共に前記コード補強部材とコード外被との間にコード外被を裂かずに拡げて挿入されコード外被の内側に喰い込む放射方向に突出した複数の突起爪を有する円筒状の外被抜け止めストッパ部とで固定支持され、
前記突起爪は、外被抜け止めストッパ部の外周から立上がる係合段部とその係合段部の頂上部から挿入方向へ向かって下降傾斜するテーパガイド部とからなる全体として薄い板状の爪として形成され、
前記外被抜け止めストッパ部の領域でコード外被には押えリングが嵌合していることを特徴とするコネクタ付光ファイバコード。
【請求項２】
先端に接続部が、後端にコード圧着固定部がそれぞれ設けられたコネクタハウジングと、前記コネクタハウジングの接続部に接続されたファイバ心線及び前記コード圧着固定部の外周と接触し合うコード補強部材並びにコード補強部材を被覆するコード外被とを有する光ファイバコードとを備え、
前記光ファイバコードは、前記コード補強部材の上からコード圧着固定部と嵌合し加締めにより前記コード補強部材をコード圧着固定部の外周に強く圧着させる加締めリングと前記コード圧着固定部と一体に形成されると共に前記ファイバ心線とコード補強部材との間にコード外被を裂かずに拡げて挿入され前記コード補強部材を介してコード外被の内側に喰い込む放射方向に突出した複数の突起爪を有する円筒状の外被抜け止めストッパ部とで固定支持され、
前記突起爪は、外被抜け止めストッパ部の外周から立上がる係合段部とその係合段部の頂上部から挿入方向へ向かって下降傾斜するテーパガイド部とからなる全体として薄い板状の爪として形成され、
前記外被抜け止めストッパ部の領域でコード外被には押えリングが嵌合していることを特特徴とするコネクタ付光ファイバコード。
【請求項３】
前記押えリングは、前記加締めリングと一体で形成されることを特徴とする請求項２に記載のコネクタ付光ファイバコード。
【請求項４】
前記突起爪は、放射方向に上下、左右対称に４箇所設けられていることを特徴とする請求項１乃至３のいずれか１項に記載のコネクタ付光ファイバコード。
【発明の詳細な説明】
【技術分野】
【０００１】
本発明はコネクタ付光ファイバコードに関する。
【背景技術】
【０００２】
コネクタ付光ファイバコードは、光ファイバコードの先端にコネクタが一体に接続されるところから、光ファイバコードとコネクタとの確実な接続状態を確保する接続手段について各種のものが提案されている。その代表例として、例えば、カシメリングを用いる手段が知られている。
【０００３】
カシメリングを用いる手段の概要は、光ケーブルの心線と抗張力線との間に心線を保護するカシメ座を挿入する一方、そのカシメ座の領域で抗張力線の上からカシメリングを嵌合し、嵌合したカシメリングの外周から力を加えてカシメ圧着する手段となっている。
【特許文献１】特開２００４−１３３３７１号公報
【発明の開示】
【発明が解決しようとする課題】
【０００４】
従来の光コードは、カシメリングによるカシメ圧着時、光コードの心線を保護する専用のカシメ座を必要とする。また、光コードの抗張力線及びコード外被はカシメ座にカシメ圧着されるために、特に、抗張力線はコネクタ側となるストップリングに直接カシメ圧着されず、抜け方向の強い引張りに対して不安定な接続となる問題を残す。
【０００５】
そこで、本発明にあっては、専用のカシメ座を必要とせず、コネクタ側に直接光ファイバコードのカシメ圧着を可能とし安定したコード接続が得られるコネクタ付光ファイバコードを提供することを目的とする。
【課題を解決するための手段】
【０００６】
前記目的を達成するために、本発明にあっては、第１に、先端に接続部が、後端にコード圧着固定部がそれぞれ設けられたコネクタハウジングと、前記コネクタハウジングの接続部に接続されたファイバ心線及び前記コード圧着固定部の外周と接触し合うコード補強部材並びにコード補強部材を被覆するコード外被とを有する光ファイバコードとを備え、前記光ファイバコードは、前記コード補強部材の上からコード圧着固定部と嵌合し加締めにより前記コード補強部材をコード圧着固定部の外周に強く圧着させる加締めリングとその加締めリングと一体に形成されると共に前記コード補強部材とコード外被との間にコード外被を裂かずに拡げて挿入されコード外被の内側に喰い込む放射方向に突出した複数の突起爪を有する円筒状の外被抜け止めストッパ部とで固定支持され、前記突起爪は、外被抜け止めストッパ部の外周から立上がる係合段部とその係合段部の頂上部から挿入方向へ向かって下降傾斜するテーパガイド部とからなる全体として薄い板状の爪として形成され、前記外被抜け止めストッパ部の領域でコード外被には押えリングが嵌合していることを特徴とする。
【０００７】
第２に、先端に接続部が、後端にコード圧着固定部がそれぞれ設けられたコネクタハウジングと、前記コネクタハウジングの接続部に接続されたファイバ心線及び前記コード圧着固定部の外周と接触し合うコード補強部材並びにコード補強部材を被覆するコード外被とを有する光ファイバコードとを備え、前記光ファイバコードは、前記コード補強部材の上からコード圧着固定部と嵌合し加締めにより前記コード補強部材をコード圧着固定部の外周に強く圧着させる加締めリングと前記コード圧着固定部と一体に形成されると共に前記ファイバ心線とコード補強部材との間にコード外被を裂かずに拡げて挿入され前記コード補強部材を介してコード外被の内側に喰い込む放射方向に突出した複数の突起爪を有する円筒状の外被抜け止めストッパ部とで固定支持され、前記突起爪は、外被抜け止めストッパ部の外周から立上がる係合段部とその係合段部の頂上部から挿入方向へ向かって下降傾斜するテーパガイド部とからなる全体として薄い板状の爪として形成され、前記外被抜け止めストッパ部の領域でコード外被には押えリングが嵌合していることを特徴とする。
本発明にあっては、前記押えリングは、前記加締めリングと一体で形成されることが好ましい。
本発明にあっては、前記突起爪は、放射方向に上下、左右対称に４箇所設けられていることが好ましい。
【発明の効果】
【０００８】
本発明の第１、第２によれば、光ファイバコードのコード補強部材を加締めリングによってコネクタのコード圧着固定部の外周に直接、加締め圧着させることができる。また、コード外被はそのコード外被の内側に喰い込む複数の突起爪によって抜け方向の力を阻止する抗力が発生し、ファイバ心線を保護しながらコネクタに対する光ファイバコードの確実な接続状態を得ることができる。
【０００９】
また、本発明の第１にあっては、外被抜け止めストッパは、柔軟性のあるコード外被の内側を進入するため進入にともない容易に外側へ拡がる結果、大きな挿入抵抗にあうことなく迅速、容易に挿入作業を完了することができる。
【発明を実施するための最良の形態】
【００１０】
本発明にあっては光ファイバコードのコード補強部材を加締めリングによって、コード外被をそのコード外被の内側に喰い込み勝手に作用する複数の突起爪を有する外被抜け止めストッパ部とで固定支持する構成要素に加えて、第１には、前記外被抜け止めストッパ部の領域でコード外被に押えリングを嵌合させることで、より強固なコード外被の抜け止めを図るようにする。
【００１１】
第２には、前記突起爪を、外被抜け止めストッパ部の外周から立上がる係合段部とその係合段部の頂上部から挿入方向へ向かって下降傾斜するテーパガイド部の形状とすることで、大きな挿入抵抗を生じることなく外被内側への進入を容易とする一方、挿入完了時、抜け方向に作用する力を複数に設けられた突起爪に集中させ、強い喰い込み勝手の働きで抜け止めを確実に阻止するようにする。
【実施例】
【００１２】
以下、図１乃至図５の図面を参照しながら本発明の第１の実施形態について具体的に説明する。
【００１３】
図１は本発明にかかる第１の実施形態のコネクタ付光ファイバコードの分解斜視図を示している。
【００１４】
コネクタ付光ファイバコード１のコネクタ３は、コネクタハウジング５の先端に接続部７を有し、後端にコード圧着固定部９が設けられた構造となっている。接続部７は、前記したコード圧着固定部９となる後部から挿入された光ファイバコード１１の裸のファイバ心線１３が接着剤により固定されたフェルールとなっていて、コネクタハウジング５の内部に組込まれた構造となっている。
【００１５】
コード圧着固定部９はコネクタハウジング５から後部（図１右側）へ一体に延長され、その外周面に光ファイバコード１１のコード補強部材１５が圧着している。この場合、コード圧着固定部９の外周面に挿入を容易とする円錐ガイド面９ｂを設けることが望ましい。
【００１６】
一方、光ファイバコード１１は中心に前記した裸のファイバ心線１３を有し、その外周には絶縁材質で作られた心線被覆１７が、その心線被覆１７の外周は前記したコード補強部材１５が、さらにその外周は一番外側となるコード外被２１となっている。コード補強部材１５は引張り強度に強いアラミド繊維でできていて、前記したコード外被２１の端部を工具を使って取除くことでコード補強部材１５が露出するようになっている。露出したコード補強部材１５は外側へ拡げておくことで、コード圧着固定部９となる後部からファイバ心線１３を挿入する時に、その外周に接触し合うようになる。
【００１７】
図２は、光ファイバコード１１の接続状態を示したもので、コード圧着固定部９と直接接触し合うコード補強部材１５は加締めリング２３の加締め力Ｆによってコード圧着固定部９の外周に強く圧着している。
【００１８】
コード外被２１は、内側が外被抜け止めストッパ部２５によって、外側が押えリング２７によって固定支持されている。
【００１９】
外被抜け止めストッパ部２５は、筒状に形成され、図３、図４に示す如く前記加締めリング２３と一体形状に作られ、部品点数が１つで済むようになっている。
【００２０】
外被抜け止めストッパ部２５は、中心部位に光ファイバコード１１のコード補強部材１５が通る貫通孔２９が、外周には突起爪３１がそれぞれ設けられている。
【００２１】
突起爪３１は、放射方向に上下、左右対称に４箇所設けられている。突起爪３１は、外被抜け止めストッパ部２５の外周から立上がる係合段部３１ａとその係合段部３１の頂上部から挿入方向（矢印イ）へ向かって下降傾斜するテーパガイド部３１ｂとを有する薄い板状に形成されている。薄い板厚は、挿入時の接触面積が小さくなることで挿入抵抗の軽減が図られるようにすることと、挿入完了後は４箇所の係合段部３１ａによってコード外被２１の内側に作用する集中荷重により強い喰い込み勝手の作用が働くようにすることにある。
【００２２】
一方、押えリング２７は、金属製で光ファイバコード１１のコード外被と同一径となって挿入完了後はカシメは行なわず、コード外被２１が外側へ拡がるのを阻止するためのものでコード外被２１の抜けをより確実に阻止するために用いる手段となっている。
【００２３】
このように構成されたコネクタ付光ファイバコード１によれば、図１に示すように光ファイバコード１１に予め押えリング２７及びコードの接続領域全体を被覆するカバースリーブ３３を挿通した後、図５に示すように、コード補強部材１５とコード外被２１との間に外被抜け止めストッパ部２５を挿入する。この時、コード外被２１は外側へ向かう拡がりにより大きな挿入抵抗にあうことなく挿入される。挿入完了後、加締めリング２３内にコード補強部材１５を外周へ向かって押し拡げておき、加締めリンク２３と一緒にコネクタ端面５ａに突当るまでコード圧着固定部９に挿入する。挿入完了時、ファイバ心線１３が先端の接続部７に到達するからそのファイバ心線１３を接着剤により接着固定する。一方、加締めリンク２３を外側から力Ｆを加えて加締め圧着しコード補強部材１５をコード圧着固定部９に直接圧着固定する。
【００２４】
次に、予め通しておいた押えリング２７を外被抜け止めストッパ部２５まで移動しコード外被２１の外周を押える。
【００２５】
これにより、コード補強部材１５はコード圧着固定部９に直接加締め圧着されると共に、コード外被２１は内側に喰い込む突起爪３１によって抜け方向に対して抗力が発生し、ファイバ心線１３を保護した状態で、抜け方向に強い確実な接続状態が得られる。
【００２６】
図６と図７は第２の実施形態を示したものである。
【００２７】
即ち、外被抜け止めストッパ部２５を加締めリング２３にかえてコネクタ３側となるコード圧着固定部９と一体の形状としたものである。
【００２８】
外被抜け止めストッパ部２５は、中心に貫通孔２９、外周に突起爪３１を有することは第１の実施形態と同一のため同一符号を符して詳細な説明を省略する。
【００２９】
一方、加締めリンク２３は押えリング２７と一体形状となっている。この場合、コード外被２１を押える押えリング２７は加締めリンク２３とそれぞれ独立した形状であってもよい。
【００３０】
したがって、この第２の実施形態によれば、図６の状態においてコード補強部材１５をコード圧着固定部９へ向けて挿入することで、コード補強部材１５はコード圧着固定部９の外周と接触し合う、と同時に、外被抜け止めストッパ部２５はファイバ心線１３とコード補強部材１５の間に挿入される。この時、突起爪３１はコード補強部材１５を介してコード外被２１の内側に喰い込むよう作用する。続いて加締めリンク２３をコード圧着固定部９の領域まで移動させ、コード外被を押えリングによって外周を押える。次に、前記加締めリンク２３の外周から治具によって力を加え加締めることで、コード補強部材１５はコード圧着固定部９の内周に圧着固定される。一方、コード外被２１は内側から喰い込み勝手に作用する突起爪３１によりファイバ心線１３を保持した状態で外被抜け止めストッパ部２５との確実な接続状態を得ることができる。
【図面の簡単な説明】
【００３１】
【図１】本発明にかかる第１の実施形態を示したコネクタ付光ファイバコードの概要分解斜視図。
【図２】光ファイバコードの接続状態を示した要部の概要切断断面図。
【図３】外被抜け止めストッパ部が一体に形成された加締めリングの切断面図。
【図４】図３の加締めリングの右側面図。
【図５】光ファイバコードの接続状態を示す動作説明図。
【図６】第２の実施形態を示した図１と同様のコネクタ付光ファイバコードの概要分解斜視図。
【図７】光ファイバコードの接続状態を示す図６の動作説明図。
【符号の説明】
【００３２】
３    コネクタ
５    コネクタハウジング
７    接続部
９    コード圧着固定部
１１    光ファイバコード
１３    ファイバ心線
１５    コード補強部材
２１    コード外被
２３    加締めリング
２５    外被抜け止めストッパ部
２７    押えリング
２９    貫通孔
３１    突起爪
３１ａ    係合段部
３１ｂ    テーパガイド部
【図１】
0004698488.tif 000002
【図２】
0004698488.tif 000003
【図３】
0004698488.tif 000004
【図４】
0004698488.tif 000005
【図５】
0004698488.tif 000006
【図６】
0004698488.tif 000007
【図７】
0004698488.tif 000008